(57)【要約】【課題】  本発明は、キャンペーンラベルを貼付した商品をキャンペーン期間に合わせて消費者に供給することができる自動販売機を提供することを課題とする。【解決手段】  搬出指示部１１から商品を商品搬出路に搬出したことを知らせる搬出通知搬出通知が入力されると、貼付指示部１３は、商品の購入時が貼付期間である場合には、商品検出センサ９によって商品搬出路上を転動する商品が検出されると、商品搬出路上を転動する商品２へのキャンペーンラベルの貼付を指示する貼付指示を貼付機構８に出力、貼付機構８は、商品搬出路上を転動する商品２が剥離板の先端に到達するタイミングで剥離板からキャンペーンラベルを繰り出し、剥離板から繰り出されたキャンペーンラベルは、貼付ローラによって商品の周面に押圧され、商品に貼付される。【選択図】        図２
2007011623.tif 000002
【特許請求の範囲】
【請求項１】
商品を商品棚に収納しておき、前記商品の購入が指示されると、前記商品棚の下方に設けられ、商品取出口方向に傾斜した商品搬出路上を前記商品が転動して前記商品取出口へ送出される自動販売機であって、
貼付期間の設定を行う貼付期間設定手段と、
前記商品の購入時が前記貼付期間内である場合に、前記商品搬出路上を転動する前記商品にラベルを貼付する貼付機構とを具備することを特徴とする自動販売機。
【請求項２】
前記貼付期間設定手段は、ネットワークに接続され、当該ネットワークを介して貼付開始指示および貼付終了指示を受信する通信手段であり、
前記貼付機構は、前記商品の購入時が前記貼付開始指示の受信から前記貼付終了指示の受信までの間である場合に、前記商品搬出路上を転動する前記商品に前記ラベルを貼付することを特徴とする請求項１記載の自動販売機。
【請求項３】
前記貼付機構は、前記商品搬出路上を転動する前記商品の周面に押圧され、前記商品に繰り出された前記ラベルを貼付する貼付ローラを具備し、
前記貼付ローラは、前記商品搬出路上を転動する前記商品と接触する周面が、前記商品を前記商品取出口に向けて送出する方向に回転駆動されていることを特徴とする請求項１又は２記載の自動販売機。
【請求項４】
前記貼付ローラは、周面の速度が前記ラベルの繰り出し速度になるように回転駆動されていることを特徴とする請求項３記載の自動販売機。
【発明の詳細な説明】
【技術分野】
【０００１】
本発明は、自動販売機に関し、特に缶飲料等の円筒状の商品を販売する自動販売機に関する。
【背景技術】
【０００２】
飲料メーカ等では、キャンペーンとして懸賞への応募等に用いるキャンペーンラベルを缶飲料等の商品に貼付し、販売数量促進を図っているが、商品へのキャンペーンラベルの貼付は、缶製造工場で行い、商品にラベルが貼付された状態で自動販売機へ供給されるのが一般的である。
【０００３】
販売数量が多い商品の場合には、缶製造工場でのキャンペーンラベルの貼付作業は、例えば１分あたり１０００枚以上のキャンペーンラベルを貼付することができる貼付装置が要求されるといった設備的に大きな負担を強いるものであり、キャンペーンラベルが貼付されていない商品の管理にも注力する必要性がある。
【０００４】
一方、商品毎に予め情報を印刷したラベルを貼付する貼付装置を設けた自動販売機が提案されており（例えば、特許文献１参照）、このような自動販売機を利用することにより、キャンペーンラベルの貼付を自動販売機で行い、缶製造工場でのキャンペーンラベルの貼付作業を分散させることが考えられる。
【０００５】
しかしながら、従来技術のように、単に貼付装置を自動販売機に設けた場合には、常にキャンペーンラベルが商品に貼付され、大量に設置されている自動販売機において、キャンペーンラベルを商品に貼付する期間を統一することができない。すなわち、飲料メーカ等で実施するキャンペーンには、キャンペーン期間が設定されており、設定されたキャンペーン期間中のみ商品にキャンペーンラベルを貼付して販売するのが通常である。従って、大量に設置されている自動販売機においてもキャンペーン期間に合わせて商品にキャンペーンラベルを貼付する必要があるが、従来技術のように、単に貼付装置を自動販売機に設けただけでは、各自動販売機で商品へのキャンペーンラベルの貼付時期にバラツキが生じ、キャンペーン期間前にキャンペーンラベルが貼付された商品が消費者に供給されたり、キャンペーン期間終了後にも拘わらずキャンペーンラベルが貼付された商品が消費者に供給されたりする恐れがあるという問題点があった。
【特許文献１】特開平８−４４９４８号公報
【発明の開示】
【発明が解決しようとする課題】
【０００６】
本発明は斯かる問題点に鑑みてなされたものであり、その目的とするところは、キャンペーンラベルを貼付した商品をキャンペーン期間に合わせて消費者に供給することができる自動販売機を提供する点にある。
【課題を解決するための手段】
【０００７】
本発明は上記課題を解決すべく、以下に掲げる構成とした。
請求項１記載の発明の要旨は、商品を商品棚に収納しておき、前記商品の購入が指示されると、前記商品棚の下方に設けられ、商品取出口方向に傾斜した商品搬出路上を前記商品が転動して前記商品取出口へ送出される自動販売機であって、貼付期間の設定を行う貼付期間設定手段と、前記商品の購入時が前記貼付期間内である場合に、前記商品搬出路上を転動する前記商品にラベルを貼付する貼付機構とを具備することを特徴とする自動販売機に存する。
また請求項２記載の発明の要旨は、前記貼付期間設定手段は、ネットワークに接続され、当該ネットワークを介して貼付開始指示および貼付終了指示を受信する通信手段であり、前記貼付機構は、前記商品の購入時が前記貼付開始指示の受信から前記貼付終了指示の受信までの間である場合に、前記商品搬出路上を転動する前記商品に前記ラベルを貼付することを特徴とする請求項１記載の自動販売機。
また請求項３記載の発明の要旨は、前記貼付機構は、前記商品搬出路上を転動する前記商品の周面に押圧され、前記商品に繰り出された前記ラベルを貼付する貼付ローラを具備し、前記貼付ローラは、前記商品搬出路上を転動する前記商品と接触する周面が、前記商品を前記商品取出口に向けて送出する方向に回転駆動されていることを特徴とする請求項１又は２記載の自動販売機に存する。
また請求項４記載の発明の要旨は、前記貼付ローラは、周面の速度が前記ラベルの繰り出し速度になるように回転駆動されていることを特徴とする請求項３記載の自動販売機に存する。
【発明の効果】
【０００８】
本発明の自動販売機は、貼付期間設定手段によって貼付期間の設定を行い、商品の購入時が貼付期間内である場合に、貼付機構によって商品搬出路上を転動する商品にラベルを貼付するように構成することにより、キャンペーン期間前にキャンペーンラベルの装着と貼付期間の設定とを行っておくだけで、キャンペーンラベルを貼付した商品をキャンペーン期間に合わせて消費者に供給することができるという効果を奏する。
【０００９】
また、本発明の自動販売機は、ネットワークに接続された通信手段によって、ネットワークを介して貼付開始指示および貼付終了指示を受信し、商品の購入時が貼付開始指示の受信から貼付終了指示の受信までの間である場合に、貼付機構によって商品搬出路上を転動する商品にラベルを貼付するように構成することにより、キャンペーン期間前にキャンペーンラベルの装着を行うと共に、ネットワークを介して商品にラベルの貼付を開始するタイミングと商品へのラベルの貼付を終了するタイミングとを制御することで、キャンペーンラベルを貼付した商品をキャンペーン期間に合わせて消費者に供給することができるという効果を奏する。
【００１０】
さらに、本発明の自動販売機は、貼付機構に商品搬出路上を転動する商品の周面に押圧され、商品に繰り出されたラベルを貼付する貼付ローラを具備し、貼付ローラは、商品搬出路上を転動する商品と接触する周面が、商品を商品取出口に向けて送出する方向に回転駆動されるように構成することにより、商品搬出路上を転動する商品を、ラベルの貼付によって止めてしまうことなく、確実に商品取出口に送出することができるという効果を奏する。
【発明を実施するための最良の形態】
【００１１】
以下、本発明の実施の形態を図面に基づいて詳細に説明する。
【００１２】
図１は、本発明に係る自動販売機の実施の形態の構成を示す概略側断面図であり、図２は、図１に示す制御部の構成を示すブロック図であり、図３は、図１に示す剥離装置の構成を示す斜視図であり、図４は、図１に示す剥離装置の構成を示す概略側面図である。
【００１３】
本実施の形態の自動販売機１は、図１を参照すると、缶飲料等の円筒状の商品２を複数の商品棚３に収納しておき、購入代金が投入され、商品２の購入を指示する商品購入ボタン４が押下されると、商品２が収納されている商品棚３の下方に設置された商品搬出機構５を作動させ、商品２を商品棚３の下方より前下がりに傾斜した商品搬出路６に搬出するように構成されており、商品棚３から商品搬出路６に搬出された商品２は、自重によって商品搬出路６上を転動して商品取出口７へ送出される。
【００１４】
また、自動販売機１には、商品搬出路６上を転動する商品２にキャンペーンで使用されるキャンペーンラベルを貼付する貼付機構８と、貼付機構８の上流側に配置され、商品搬出路６上を転動する商品２を検出する商品検出センサ９とが設けられており、商品搬出機構５と貼付機構８とは、制御部１０によって制御される。
【００１５】
制御部１０は、図２を参照すると、搬出指示部１１と、貼付期間記憶部１２と、貼付指示部１３と、入力部１４と、通信部１５とからなる。
【００１６】
搬出指示部１１は、購入代金が投入され、商品２の購入を指示する商品購入ボタン４が押下されると、商品２が収納されている商品棚３の下方に設置された商品搬出機構５を作動させると共に、商品２を商品搬出路６に搬出したことを知らせる搬出通知を貼付指示部１３に出力する。
【００１７】
貼付期間記憶部１２は、商品２にキャンペーンラベルを貼付する期間（キャンペーン期間等）を貼付期間として記憶する記憶手段である。
【００１８】
貼付指示部１３は、時計機能を有し、搬出指示部１１から搬出通知が入力されると、貼付期間記憶部１２に記憶された貼付期間を参照することで、商品２の購入時が貼付期間内か否かを判断する。商品２の購入時が貼付期間内である場合には、貼付指示部１３は、商品検出センサ９によって商品搬出路６上を転動する商品２が検出されると、商品搬出路６上を転動する商品２へのキャンペーンラベルの貼付を指示する貼付指示を貼付機構８に出力する。
【００１９】
入力部１４は、貼付期間記憶部１２に記憶させる貼付期間の入力を受け付けて、受け付けた貼付期間を貼付期間記憶部１２に記憶させることで、貼付期間の設定を行うテンキー等の入力手段である。
【００２０】
通信部１５は、公衆回線網等のネットワーク１６に有線又は無線で接続され、ネットワーク１６を介して自動販売機１を管理する管理装置１７との間で各種情報の送受信を行う機能を有しており、管理装置１７から貼付期間記憶部１２に記憶させる貼付期間を受信し、受信した貼付期間を貼付期間記憶部１２に記憶させることで、貼付期間の設定を行うと共に、キャンペーンラベル切れ等の保守情報を管理装置１７に送信する。
【００２１】
貼付機構８は、図３および図４を参照すると、帯状台紙１００に間隔を置いて仮着されているキャンペーンラベル２００を剥離して、商品搬出路６上を転動する商品２に貼付する装置であり、自動販売機１の前扉の内側に取り付けられ、商品搬出路６の上方に配置されている。自動販売機１の前扉に取り付けられていることにより、商品２の補充時にキャンペーンラベル２００の交換等の貼付機構８に対する保守作業を容易に行えるようになっている。
【００２２】
貼付機構８には、本体フレーム８１の上部にラベル供給部８２が設けられ、ラベル供給部８２は、帯状台紙１００に複数のキャンペーンラベル２００が間隔を置いて仮着されているラベル連続体３００がロール状に巻き回された状態で装着される供給リール８３と、供給リール８３に装着されたラベル連続体３００の両端面をそれぞれガイドするガイド板８４ａ、８４ｂとからなり、ロール状に巻き回されたラベル連続体３００は、供給リール８３に回転自在に保持されている。
【００２３】
供給リール８３から繰り出されるラベル連続体３００は、移送部８５の上面側を通って剥離板８６に移送される。なお、図３および図４に示す符号８７は、ラベル連続体３００に加わるテンションの変化を吸収するテンションローラであり、供給リール８３から移送部８５までの移送路中に配置されている。
【００２４】
剥離板８６は、先端部が鋭角に形成された板状の部材であり、先端部が商品搬出路６上を転動する商品２に向けて延出されるように設けられている。帯状台紙１００は、剥離板８６の先端部で転向され、帯状台紙１００より剛性の高いキャンペーンラベル２００は、帯状台紙１００から剥離され、剥離板８６から前方に繰り出される。剥離板８６から繰り出されたキャンペーンラベル２００は、剥離板８６のラベル繰り出し方向の前方に設けられた貼付ローラ８８によって、商品搬出路６上を転動する商品２の周面に押圧され、商品２に貼付される。なお、貼付ローラ８８は、図４に示すように、商品搬出路６上を転動する商品２と接触する周面が、商品２を商品取出口７に向けて送出する方向に回転駆動されている。また、貼付ローラ８８を支持するアームは、図示しない駆動手段によって、図３に示す矢印方向に退避可能、すなわち貼付ローラ８８が商品搬出路６上を転動する商品２に接触しない位置に退避可能に構成しても良い。この場合には、キャンペーンラベル２００を商品２に貼付しない場合には、貼付ローラ８８を退避させることで、貼付ローラ８８によって商品搬出路６上を転動する商品２が妨害されることがない。
【００２５】
また、剥離板８６のラベル連続体３００の移送方向上流側には、キャンペーンラベル２００の先端を検出するラベル検出センサ８９が配置されており、ラベル検出センサ８９によってキャンペーンラベル２００の先端を把握することにより、剥離板８６から繰り出すキャンペーンラベル２００の先端が商品２に貼付されるように制御される。なお、ラベル連続体３００を移送しているにも拘わらずラベル検出センサ８９によってキャンペーンラベル２００が所定時間検出されない場合には、ラベル切れが制御部１０に通知される。
【００２６】
一方、キャンペーンラベル２００が剥離された帯状台紙１００、すなわち剥離板８６の先端部で転向された帯状台紙１００は、移送部８５の下面側を通って巻き取り部９０に移送されて巻き取られる。なお、図３および図４に示す符号９１は、帯状台紙１００に加わるテンションの変化を吸収するテンションローラであり、移送部８５から巻き取り部９０までの移送路中に配置されている。
【００２７】
移送部８５は、図示しない駆動モータによって回転駆動される移送ローラ９２と、第１のニップローラ９３と、第２のニップローラ９４とを備え、移送ローラ９２と第１のニップローラ９３とによって挟持移送して供給リール８３から繰り出されるラベル連続体３００を剥離板８６に移送すると共に、移送ローラ９２と第２のニップローラ９４とによって挟持移送して剥離板８６で転向された帯状台紙１００を巻き取り部９０に移送する。
【００２８】
巻き取り部９０は、巻き取り駆動軸９５と、巻き取り駆動軸９５に環装された巻き取りリール９６とからなり、巻き取り駆動軸９５の回転に追従させて巻き取りリール９６を回転させ、巻き取りリール９６に、剥離板８６で転向された帯状台紙１００を巻き取る構成になっている。
【００２９】
剥離板８６には、剥離板８６の先端から近接した位置で帯状台紙１００にテンションを与える押圧部９７が設けられており、押圧部９７には、剥離板８６の先端に移送されるラベル連続体３００を剥離板８６の上面に押圧する上部押圧ローラ９８と、剥離板８６の先端から巻き取り部９０に移送される帯状台紙１００を剥離板８６の下面に押圧する下部押圧ローラ９９とが備えられている。
【００３０】
次に、本実施の形態の自動販売機１におけるキャンペーンラベルの貼付動作について図５を参照して詳細に説明する。
図５は、本発明に係る自動販売機の実施の形態におけるキャンペーンラベルの貼付動作を説明するためのフローチャートである。
【００３１】
まず、自動販売機１の管理者は、貼付機構８のラベル供給部８２にキャンペーン等で使用するラベル連続体３００を装着させておくと共に、入力部１４から貼付期間を入力、もしくは管理装置１７からネットワーク１６を介して制御部１０の通信部１５に貼付期間を送信することにより、貼付期間記憶部１２に貼付期間を記憶させておく。
【００３２】
消費者によって、購入代金が投入され、商品２の購入を指示する商品購入ボタン４が押下されると（ステップＡ１）、搬出指示部１１は、商品２が収納されている商品棚３の商品搬出機構５を作動させると共に（ステップＡ２）、商品２を商品搬出路６に搬出したことを知らせる搬出通知を貼付指示部１３に出力する。
【００３３】
搬出指示部１１から搬出通知が入力されると、貼付指示部１３は、貼付期間記憶部１２に記憶された貼付期間を参照することで、商品２の購入時が貼付期間内か否かを判断する（ステップＡ３）。商品２の購入時が貼付期間内でない場合には、搬出指示部１１は、貼付機構８にキャンペーンラベル２００の貼付を指示することなく、商品搬出路６上を転動する商品２は、キャンペーンラベル２００が貼付されない状態で商品取出口７に送出される。
【００３４】
商品２の購入時が貼付期間内である場合には、貼付指示部１３は、商品検出センサ９によって商品搬出路６上を転動する商品２が検出されると、商品搬出路６上を転動する商品２へのキャンペーンラベル２００の貼付を指示する貼付指示を貼付機構８に出力する。
【００３５】
貼付機構８は、貼付指示が入力されると、商品搬出路６上を転動する商品２が剥離板８６の先端に到達するタイミングで剥離板８６からキャンペーンラベル２００を繰り出し、剥離板８６から繰り出されたキャンペーンラベル２００は、貼付ローラ８８によって商品２の周面に押圧され、商品２に貼付され（ステップＡ４）、キャンペーンラベル２００が貼付された商品２が商品取出口７に送出される。なお、貼付ローラ８８は、商品搬出路６上を転動する商品２と接触する周面が、商品２を商品取出口７に向けて送出する方向に回転駆動されているため、商品搬出路６上を転動する商品２がキャンペーンラベル２００の貼付によって止まってしまうことなく、確実に商品取出口７に送出される。
【００３６】
なお、本実施の形態において、貼付期間記憶部１２に記憶された貼付期間によって、商品搬出路６上を転動する商品２へのキャンペーンラベル２００の貼付の可否を判断するように構成したが、管理装置１７からネットワーク１６を介して制御部１０に貼付開始の指示と、貼付終了の指示とを送信するように構成し、貼付指示部１３は、貼付開始の指示の受信から貼付終了の指示の受信までの間、商品検出センサ９によって商品搬出路６上を転動する商品２が検出されると、商品搬出路６上を転動する商品２へのキャンペーンラベル２００の貼付を指示する貼付指示を貼付機構８に出力させ、貼付機構８によって商品搬出路６上を転動する商品２へのキャンペーンラベル２００の貼付を行うように構成しても良い。
【００３７】
また、本実施の形態では、貼付機構８において、貼付指示が入力されると、商品搬出路６上を転動する商品２が剥離板８６の先端に到達するタイミングで剥離板８６からキャンペーンラベル２００を繰り出すように構成したが、商品搬出路６上を転動する商品２の剥離板８６の先端への到達を検出して、剥離板８６からキャンペーンラベル２００を繰り出すようにしても良い。この場合には、貼付機構８の貼付ローラ８８を支持するアームに揺動を検出する揺動センサを設けて、当該揺動センサで商品２の貼付ローラ８８への衝突を検出することで、商品搬出路６上を転動する商品２が剥離板８６の先端に到達したこと検出するようにすると良い。
【００３８】
以上説明したように、本実施の形態によれば、入力部１４もしくは通信部１５によって貼付期間の設定を行い、商品２の購入時が貼付期間内である場合に、貼付機構８によって商品搬出路６上を転動する商品２にキャンペーンラベル２００を貼付するように構成することにより、キャンペーン期間前にキャンペーンラベル２００の装着と貼付期間の設定とを行っておくだけで、キャンペーンラベル２００を貼付した商品をキャンペーン期間に合わせて消費者に供給することができるという効果を奏する。
【００３９】
また、本実施の形態によれば、ネットワーク１６に接続され通信部１５によって、ネットワーク１６を介して貼付開始指示および貼付終了指示を受信し、商品２の購入時が貼付開始指示の受信から貼付終了指示の受信までの間である場合に、貼付機構８によって商品搬出路６上を転動する商品にキャンペーンラベル２００を貼付するように構成することにより、キャンペーン期間前にキャンペーンラベル２００の装着を行うと共に、ネットワーク１６を介して商品２にキャンペーンラベル２００の貼付を開始するタイミングと商品２へのキャンペーンラベル２００の貼付を終了するタイミングとを制御することで、キャンペーンラベル２００を貼付した商品をキャンペーン期間に合わせて消費者に供給することができるという効果を奏する。
【００４０】
さらに、本実施の形態によれば、貼付機構８に商品搬出路６上を転動する商品２の周面に押圧され、商品２に繰り出されたキャンペーンラベル２００を貼付する貼付ローラ８８を具備し、貼付ローラ８８は、商品搬出路６上を転動する商品２と接触する周面が、商品２を商品取出口７に向けて送出する方向に回転駆動されるように構成することにより、商品搬出路６上を転動する商品２をキャンペーンラベル２００の貼付によって止めてしまうことなく、確実に商品取出口７に送出することができるという効果を奏する。
【００４１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００４２】
【図１】本発明に係る自動販売機の実施の形態の構成を示す概略側断面図である。
【図２】図１に示す制御部の構成を示すブロック図である。
【図３】図１に示す剥離装置の構成を示す斜視図である。
【図４】図１に示す剥離装置の構成を示す概略側面図である。
【図５】本発明に係る自動販売機の実施の形態におけるキャンペーンラベルの貼付動作を説明するためのフローチャートである。
【符号の説明】
【００４３】
１  自動販売機
２  商品
３  商品棚
４  商品購入ボタン
５  商品搬出機構
６  商品搬出路
７  商品取出口
８  貼付機構
９  商品検出センサ
１０  制御部
１１  搬出指示部
１２  貼付期間記憶部
１３  貼付指示部
１４  入力部（貼付期間設定手段）
１５  通信部（貼付期間設定手段）
１６  ネットワーク
１７  管理装置
８１  本体フレーム
８２  ラベル供給部
８３  供給リール
８４ａ、８４ｂ  ガイド板
８５  移送部
８６  剥離板
８７  テンションローラ
８８  貼付ローラ
８９  ラベル検出センサ
９０  巻き取り部
９１  テンションローラ
９２  移送ローラ
９３  第１のニップローラ
９４  第２のニップローラ
９５  巻き取り駆動軸
９６  巻き取りリール
９７  押圧部
９８  上部押圧ローラ
９９  下部押圧ローラ
１００  帯状台紙
２００  キャンペーンラベル
３００  ラベル連続体
【図１】
2007011623.tif 000003
【図２】
2007011623.tif 000004
【図３】
2007011623.tif 000005
【図４】
2007011623.tif 000006
【図５】
2007011623.tif 000007